(57)【要約】【課題】便座の下面に付着した汚れを容易に清掃することができるようにする。【解決手段】便器は、上面が平坦面をなすリム部４を有した便器本体１と、リム部４の上面に載置可能に設けられる便座６と、便座６の下面６Ａのうち少なくともその前部領域ＦＲに配されかつ便座６の下面６Ａと略面一をなして形成される弾性受け部１０と、リム部４の上面に突設され便座６がリム部４の上面に載置された状態で弾性受け部１０に当接可能な支持凸部１６とを備えて構成されている。【選択図】図１
2019060191.tif 000002
【特許請求の範囲】
【請求項１】
上面が平坦面をなすリム部を有した便器本体と、
前記リム部の上面に載置可能に設けられる便座と、
前記便座における前記リム部の上面との対向面のうち少なくともその前部領域に配され前記対向面と略面一をなして形成される一又は二以上の弾性受け部と、
前記リム部の上面に突設され前記便座が前記リム部の上面に載置された状態で前記弾性受け部に当接可能な一又は二以上の支持凸部と、
を備えることを特徴とする便器。
【請求項２】
前記弾性受け部は、弾性材にて形成されるとともに前記対向面の前記前部領域の一部に配されていることを特徴とする請求項１に記載の便器。
【請求項３】
前記支持凸部は、前記リム部における幅方向の中央部に配されていることを特徴とする請求項１又は２に記載の便器。
【請求項４】
前記弾性受け部および前記支持凸部は、前記便器本体を前方から見たときに左右対称位置に分散して配置されていることを特徴とする請求項１乃至請求項３のいずれか１項に記載の便器。
【請求項５】
前記弾性受け部および前記支持凸部は、前記対向面および前記リム部の上面の先端部であって左右方向の中央部の各１箇所に配置されていることを特徴とする請求項１乃至請求項３のいずれか１項に記載の便器。
【発明の詳細な説明】
【技術分野】
【０００１】
本発明は、便器に関するものである。
【背景技術】
【０００２】
下記特許文献１には、便座の上面を構成する座表と便座の下面を構成する座裏とを連結するビスの頭部をゴム足で覆い隠した便座が開示されている。具体的には、この便座は、座裏の裏面に突設された座裏隆起部に凹部が形成されており、この凹部に挿入したビスを座表にねじ込み、座表と座裏とを連結すると共に、ゴム足の挿入部を座裏隆起部の凹部に挿入してゴム足が取り付けられている。このため、この便座は、座裏と座表とがビスで連結され、リサイクルが容易であると共に、ビスの頭部が見えないようにすることができる。
【先行技術文献】
【特許文献】
【０００３】
【特許文献１】特開２００２−１３６４５１号公報
【発明の概要】
【発明が解決しようとする課題】
【０００４】
しかし、特許文献１の便座は、便座の下面（座裏の裏面）からゴム足が突出して取り付けられている。このため、この便座は、ユーザーが便座の下面の汚れを拭き取ろうとすると、ゴム足が邪魔になって一拭きで汚れをふき取り難く、特に座裏の裏面から突設した座裏隆起部の付け根部分の汚れが拭き残りとなってしまうおそれがある。
【０００５】
本発明は上記のような事情に基づいて完成されたものであって、その目的は便座の下面に付着した汚れを容易に清掃することができる便器を提供することである。
【課題を解決するための手段】
【０００６】
本発明の便器は、上面が平坦面をなすリム部を有した便器本体と、前記リム部の上面に載置可能に設けられる便座と、前記便座における前記リム部の上面との対向面のうち少なくともその前部領域に配され前記対向面と略面一をなして形成される一又は二以上の弾性受け部と、前記リム部の上面に突設され前記便座が前記リム部の上面に載置された状態で前記弾性受け部に当接可能な一又は二以上の支持凸部とを備えることを特徴とする。
【０００７】
本発明によれば、便座が便器本体のリム部に載置された状態では、弾性受け部が対応する支持凸部に当接し、このことによって便座は便器本体に対して弾性的に支持される。この場合、弾性受け部は周囲の面に対して略面一をなして形成されているから、汚れを拭き取る際に弾性受け部が引っ掛かりにくく、清掃作業を容易に行うことができる。
【０００８】
本発明では、便座側に設けられる受け構造が複数、配される場合、上記した面一形式の弾性受け部のみを配するのではなく、便座から突出するような形式の受け構造が混在されることを排除するものではない。そのような場合においても、本発明では、便座の下面のうち前部領域が汚れ易い箇所であるとの認識のもと、本発明に係る弾性受け部を少なくとも便座の前部領域に配置することで、清掃機能を高める上で効果的な配置を実現している。
【図面の簡単な説明】
【０００９】
【図１】実施例１において、便蓋と便座を共に開放した状態での便器を示す斜視図
【図２】弾性受け部と支持凸部とが当接した状態を拡大して示す断面図
【図３】実施例１に係る便座において弾性受け部の配置状況を示す底面図
【図４】実施例２に係る便座において弾性受け部の配置状況を示す底面図
【図５】実施例３に係る便座において弾性受け部の配置状況を示す底面図
【発明を実施するための形態】
【００１０】
本発明における好ましい実施の形態を説明する。
（１）便器における前記弾性受け部は、弾性材にて形成されるとともに前記対向面の前記前部領域の一部に配されるようにすると良い。
上記のように、弾性受け部は、便座の前部領域のうちでもさらにその一部に限定して配置するようにすることで、より一層のコスト低減となる。また、一般に、弾性材の表面は樹脂製の表面よりも付着した汚れを除去しにくいが、弾性受け部を小面積にすることで清掃の煩わしさを軽減することができる。
【００１１】
（２）また、前記支持凸部は、前記リム部における幅方向の中央部に配されるようにしても良い。
上記の構成によれば、支持凸部がリム部における幅方向の中央部、換言すれば、リム部における外周縁からやや奥まった位置に配置されているため、便座がリム部に載置された状態で支持凸部が見えにくく、良好な外観保持に寄与する。
【００１２】
（３）さらに、前記弾性受け部および前記支持凸部は、前記便器本体を前方から見たときに左右対称位置に分散して配置されるようにしても良い。
上記の構成によれば、便座の支持を左右均等に行うことができるため、便座を安定的に支持することができる。
【００１３】
（４）さらに（３）の構成に代えて、前記弾性受け部および前記支持凸部は、前記対向面および前記リム部の上面の先端部であって左右方向の中央部の各１箇所に配置されるようにしても良い。
上記の構成によれば、弾性受け部および支持凸部の数を最小限に留めつつ便器本体の支持を安定的に行うことができるため、便座を支持する構成の簡素化を図ることができる。
【００１４】
＜実施例１＞
図１〜図３は本発明の実施例１に係る便器を示している。このうち、図１は便器の全体構成を示している。なお、以下の説明では図１において斜め右方を前方、斜め左方を後方と呼び、この前後方向と直交する方向を左右方向と呼ぶこととする。
【００１５】
図１に示すように、便器本体１は便鉢部２を有しており、全体は陶器によって製造されている。便鉢部２には上方へ開口する排便用開口部３が形成されている。便鉢部２において排便用開口部３の開口縁にはリム部４が形成されている。リム部４は上方から見たときに、左右方向より前後方向に長い略楕円形状をなしている。図示では、リム部４の後端側の湾曲が緩やかとなっているのに対し、前端側の湾曲は比較的きつく、尖り気味の形態となっている。図２に示すように、リム部４の下方には洗浄水を流すためのリム通水路５が形成されている。リム通水路５は、便鉢部２の内周の略全周に亘って形成されている。図示はされないが、便鉢部２にはリム通水路５に連続するようにして吐水口が開口し、ここからリム通水路５に洗浄水を吐出するようになっている。
【００１６】
便座６は合成樹脂製であり、便鉢部２のリム部４の上側に載置される。便座６は、図１に示すように、便器本体１の後部上面に取り付けられた便座ボックス１８にヒンジ７を支点として回転自在に取り付けられ、便鉢部２に対して上げ下ろしすることができるようになっている。便座６は、左右方向より前後方向が長い略楕円形状に形成され、中央部には中孔部８が設けられている。便座６は、リム部４と同様の楕円形状に形成され、後端側の湾曲が緩やかとなっているのに対し、前端側の湾曲は比較的きつく、尖り気味の形態となっている。便座６は、便器本体１に載置されたときには、中孔部８が便鉢部２の排便用開口部３より内側に位置して連通するようになっている。
【００１７】
次に、便座６とリム部４との間に形成された便座６の支持構造について説明する。まず、便座６側の構造（受け構造）について説明する。
図１，３に示すように、本実施例１においては、便座６におけるリム部４の上面との対向面（以下、便座６の下面６Ａと称する）には、計４か所の受け部９，１０が配置されている。これら受け部９，１０は、便座６の下面６Ａにおける前部領域ＦＲと後部領域ＲＲにそれぞれ一対ずつ配されている。
【００１８】
後部領域ＲＲに配されたリア側受け部９のペアは、公知構成に係る受け部であり、中孔部８の後端を挟んで便座６の下面６Ａにおける後端部の対称位置に略同一直線上に配置されている。前部領域ＦＲに配されたフロント側受け部のペアは、本発明に係る受け部であり、以下、このフロント側受け部のみを弾性受け部１０と称する。
【００１９】
なお、両リア側受け部９は便座６の下面６Ａに一体的に形成されている。両リア側受け部９は便座６の下面６Ａから１０mm程度、突出した状態となっている。リム部４に載置された便座６に着座者が着座すると、両リア側受け部９はリム部４の上面における対応部位（周囲と面一なフラット面）に当接する。
【００２０】
両弾性受け部１０は中孔部８の前端部を挟んで便座６の左右両サイドに対称配置され、便座６の前端側に向けて先窄みとなるような向きで配置されている。弾性受け部１０は、便座６の先端から奥方に離間した位置となっているとともに、便座６の下面６Ａにおける幅方向に関して略中央部に配置されている。つまり、弾性受け部１０は便座６の外縁部からやや奥まった位置に設けられている。かくして、便座６がリム部４に載置された状態での外観視においても、弾性受け部１０はその存在が目立ちにくくなっている。
【００２１】
図２に示すように、各弾性受け部１０は、便座６の下面６Ａに凹み形成された装着凹所１２内にそれぞれ嵌め込まれて取付けがなされている。各装着凹所１２は略楕円形状をなしており、弾性受け部１０に対応する装着凹所１２は斜め前後方向に沿って長い形態である。装着凹所１２は底面を有しており、その中央部には便座６の内部に向けて係止筒部１３が突出している。係止筒部１３は軸方向の両方向へ開放して形成されている。
【００２２】
各弾性受け部１０は、例えばエラストマー等の弾性材にて形成されている。弾性受け部１０は、装着凹所１２に嵌合される本体部１０Ａと装着凹所１２からの脱落を阻止するためのアンカー部１０Ｂとからなっている。本体部１０Ａは装着凹所１２の内部空間と適合する形態であり、装着凹所１２内の壁面全体に対して略密着して圧入される。
【００２３】
アンカー部１０Ｂは、本体部１０Ａの底面から一体に突出して形成されており、軸部１４とその先端に矢じり状に張り出し形成されたフック部１５とからなっている。軸部１４は、装着凹所１２の係止筒部１３に圧入状態で差し込み可能に形成され、フック部１５は窄み変形しつつ係止筒部１３を通過することができ、通過後には弾性復帰して係止筒部１３の先端に係止可能に形成されている。このことによって、各弾性受け部１０は対応する装着凹所１２に対して抜け止めされた状態で装着される。
【００２４】
本実施例においては、こうして各弾性受け部１０が対応する装着凹所１２内に装着されると、各弾性受け部１０は、図２に示すように、本体部１０Ａの表面（便座６の下面６Ａに露出する面１０Ｃ）の全面が便座６の下面６Ａと略面一をなすようにしてある。前記したように、各弾性受け部１０は装着凹所１２内に圧入状態で装着されていることから、本体部１０Ａの周縁と装着凹所１２の開口縁との間は隙間がなく、かつ本体部１０Ａの露出面と便座６の下面６Ａとは略同一高さに揃っていてほぼ同一平面を構成している。したがって、ユーザーが清掃布等を用いて便座６の下面６Ａを拭いたときに、弾性受け部１０が引っ掛かりとなることがなく、また拭き残りが生じることもない。
【００２５】
続いて、便器本体１側の支持構造について説明する。リム部４の上面であって、両弾性受け部１０と対向する位置には、それぞれ支持凸部１６が計２か所に配されている。なお、便器本体１側において、両リア側受け部９と対向する部位はリム部４の上面の一般部がそのまま連続するフラット面となっている。
図２に示すように、各支持凸部１６はリム部４の上面から上方へ向けて一体に突出形成されている。支持凸部１６は中央部に頂点部１７を有しており、その頂面は湾曲面にて形成されている。支持凸部１６はこの頂点部１７から全方向へ向けて均一に、かつ緩やかな下り勾配をもって形成されている。換言すれば、支持凸部１６は、リム部４の上面において頂点部１７へ向けて全方向から緩やかに連続して立ち上がるよう形成され、全体として背が低く裾野の広い略円錐形状に形成されている。便座６がリム部４に載置されたときには、各支持凸部１６の頂点部１７は、対応する弾性受け部１０における本体部１０Ａの露出面の略中央部に当接するように位置している。
【００２６】
ところで、便器本体１は陶器製であることから、リム部４の上面には製造上のばらつきに起因して３〜５mm程度の不陸を生じることが知られている。したがって、このままでは不陸で生じた突状部が、便座６の下面６Ａにおいて弾性受け部１０以外の場所で当接してしまう虞があり、便座６を弾性的に支持することが担保されなく懸念がある。そこで、本実施例においては、各支持凸部１６がリム部４の上面から突出する高さを少なくとも５mm以上に設定している。このことによって、便座６とリム部４との当接箇所は、支持凸部１６と対応する弾性受け部１０との当接箇所にほぼ限定される。
【００２７】
上記のように構成された本実施例１の効果は次の通りである。
各弾性受け部１０における本体部１０Ａの露出面が便座６の下面６Ａと略面一になっているため、ユーザーが便座６の下面６Ａを拭き取る際に弾性受け部１０が引っ掛かることがない。したがって、さっと一拭きするだけで便座６の下面６Ａを簡単に清掃することができる。
【００２８】
便座６の下面６Ａのうち前部領域ＦＲは特に汚れが付着しやすい領域であることを考慮して、両弾性受け部１０を同領域に配置しているため、清掃機能を高める上で効果的な配置を実現している。
【００２９】
各支持凸部１６がリム部４における幅方向の中央部、つまり、リム部４における外周縁からやや奥まった位置に配置されているため、便座６がリム部４に載置された状態で各支持凸部１６が見えにくく、良好な外観保持に寄与する。
【００３０】
弾性受け部１０は、便座６の下面６Ａにおいて左右に分散された局所配置となっている。つまり、便座６の下面６Ａに沿って帯状をなすように広範囲に亘って形成される形態に比べて各弾性受け部１０の面積が小さくしている。これは弾性受け部１０の素材である弾性材は一般には拭き掃除がしにくいことを考慮したものであり、このように弾性受け部１０が小面積化されることで清掃の時間の短縮が図られている。また、弾性受け部１０および支持凸部１６が左右に対称配置されているから、便座６の支持も安定させることができる。
【００３１】
また、弾性受け部１０の本体部１０Ａは装着凹所１２に圧入状態で隙間なく装着されるようにしたため、本体部１０Ａと装着凹所１２との間の隙間に汚れが拭き残ってしまう事態も回避することができる。さらに、本実施例における弾性受け部１０は装着凹所１２に対して押し嵌めてやれば、アンカー部１０Ｂによって抜け止めされるため、接着剤等を用いて貼り付ける作業に比較して装着作業性に優れる、という効果も得られる。
【００３２】
＜実施例２＞
図４は本発明の実施例２に係る弾性受け部２０の配置状況を示している。同図に示すように、実施例２に係る弾性受け部２０は、便座６の下面６Ａにおける前端部に１箇所、局所的に配置されている。弾性受け部２０は便座６の下面６Ａ前端部における左右方向の中央部に配置され、かつ便座６の前縁よりやや奥まった位置に配置されている。また、弾性受け部２０は、概ね、便座６の左右方向に沿って配され、前後方向より左右方向に長い略楕円形状に形成されている。弾性受け部２０は便座６の下面６Ａと面一に形成されている点の他、便座６に対する装着構造等は実施例１と同様である。但し、実施例２に係る弾性受け部２０は、本体部２０Ａと左右一対のアンカー部２０Ｂとを備えた構造である。
【００３３】
支持凸部１６は、図示はしないが、リム部４の上面において上記弾性受け部２０と対応する１箇所に配されている。支持凸部１６の構成も実施例１と同様であるため、重複した説明は省略する。
【００３４】
上記のように構成された実施例２においても、実施例１と同様の作用効果を奏することができる。加えて、弾性受け部２０および支持凸部１６の数を最小限に留めつつ便器本体１の支持を安定的に行うことができるため、便座６を支持する構成の簡素化を図ることができる、という効果を発揮することができる。
【００３５】
＜実施例３＞
図５は本発明の実施例３に係る弾性受け部３０の配置状況を示している。同図に示すように、実施例３に係る弾性受け部３０は、便座６の下面における前部領域ＦＲのほぼ全範囲に亘って広域的に形成されている。具体的には、弾性受け部３０は便座６の前端面から左右両側面にかけて半円弧の帯状に形成され、その外周縁側は便座６の外周縁から僅かに奥まった位置において同外周縁に沿って配されている。弾性受け部３０の内周縁側は中孔部８の開口縁からやや外周方向に寄った位置において同内周縁に沿って配されている。弾性受け部３０の両後端縁は、概ね、前部領域ＦＲと後部領域ＲＲとの境界縁に沿うよう、便座６の左右方向に沿って配されている。
【００３６】
実施例３に係る弾性受け部３０は、本体部３０Ａと計４つのアンカー部３０Ｂとからなっている。各アンカー部３０Ｂは本体部３０Ａの円弧形状に沿うようにして等間隔毎に、かつ本体部３０Ａの幅方向中央部に配されている。
【００３７】
なお、実施例３に係る支持凸部１６は、図示はしないが、リム部４の上面において、弾性受け部３０の形成範囲と対応する範囲において適当間隔毎に複数個所、設けられている。但し、弾性受け部３０と同様、半円弧状の略全範囲に及ぶような広域配置としてもよい。
弾性受け部３０が便座６の下面６Ａと面一をなす等、その他の構成は、実施例１，２と同様であるため、重複した説明は省略する。
【００３８】
上記のように構成された実施例３によれば、弾性受け部３０が広域的に配置されているため、支持凸部１６の配置が平面方向にばらついても便座６の支持を確実に行うことができる効果がある。
【００３９】
＜他の実施例＞
本発明は上記記述および図面によって説明した実施例に限定されるものではなく、例えば次のような実施例も本発明の技術的範囲に含まれる。
（１）上記実施例１では、弾性受け部１０を２箇所に配置したが、３か所以上配置しても良い。
（２）上記各実施例では、弾性受け部１０，２０，３０は装着凹所１２内に嵌め込みによって取付ける形式を示したが、決してこの取付け形式に限定されるべきものではなく、例えば接着剤等を用いて貼り付けるようにしてもよい。
（３）上記各実施例では、弾性受け部１０，２０，３０を便座６の下面の前部領域ＦＲのみに配置したが、後部領域ＲＲにも配置してもよい。
（４）上記各実施例では、支持凸部１６をリム部４と一体に形成した形式を示したが、リム部４とは別体の部材を用いてリム部４に組み付ける形式としてもよい。
（５）上記実施例１では、両弾性受け部１０を略同一の楕円上に沿った配置としたが、３か所以上に設ける場合等においては、交互に前後方向へずれる千鳥配置としてもよい。そのような場合に、弾性受け部１０の面積を大小変化させてもよい。
【符号の説明】
【００４０】
１…便器本体
４…リム部
６…便座
６Ａ…便座の下面
１０，２０，３０…弾性受け部
１２…装着凹所
１６…支持凸部
ＦＲ…前部領域
【図１】
2019060191.tif 000003
【図２】
2019060191.tif 000004
【図３】
2019060191.tif 000005
【図４】
2019060191.tif 000006
【図５】
2019060191.tif 000007